(57)【要約】【課題】構造が簡単な自動給油装置であって故障などの発生がなく、パレットを昇降させるチェーンに潤滑油を確実に塗布できる機械式駐車装置における給油装置を提供する。【解決手段】機械式駐車装置におけるパレットを昇降させるチェーンに潤滑油を自動的に給油する給油装置である。潤滑油を貯留するタンク本体１の下部に電磁弁３とコック４を設けて潤滑油の流れと油量を調整自在とする。給油口７から滴下する潤滑油を含浸するローラー１０を、駆動チェーン１１に当接するようにする。【選択図】図１
0003150560.tif 000002
【実用新案登録請求の範囲】
【請求項１】
機械式駐車装置におけるパレットを昇降させるチェーンに潤滑油を塗布する給油装置であって、潤滑油を貯留するタンク本体の下部に電磁弁とコックを設けると共に、給油口の下方に配設して給油口から滴下する潤滑油を含浸する塗油ローラーを、パレットの一側にあるチェーンに当接するように構成したことを特徴とする機械式駐車装置における給油装置。
【請求項２】
機械式駐車装置におけるパレットを昇降させるチェーンに潤滑油を塗布する給油装置であって、潤滑油を貯留するタンク本体の下部に電磁弁を設け、左右の配管端部にコックを設けると共に、給油口の下方に配設して給油口から滴下する潤滑油を含浸する塗油ローラーを、パレットの両側にあるチェーンに当接するように構成したことを特徴とする機械式駐車装置における給油装置。
【請求項３】
前記塗油ローラーは、取付け具に装着されており、その取付け具は上下移動自在で、塗油ローラーが常時チェーン側に押圧され面接触するように構成されていることを特徴とする請求項１または２に記載の機械式駐車装置における給油装置。
【請求項４】
前記塗油ローラーは、綿毛であり先部を起毛してあることを特徴とする請求項１〜３のいずれか１項に記載の機械式駐車装置における給油装置。  
【考案の詳細な説明】
【技術分野】
【０００１】
本考案は、機械式駐車装置における給油装置に関するもので、さらに詳しくは、主として、多段式昇降横行駐車装置のパレットを昇降させるチェーンに給油する給油装置に関するものである。
【背景技術】
【０００２】
従来から、都市部においては限られた空間を有効に活用する目的で、多段式機械駐車装置が多くのところで設置されている。この多段式機械駐車装置は、車路や機械室など駐車スペース以外の無駄なスペースをできるだけ省き立体的空間を利用しているために、自走式駐車場に比較してスペース効率が優れていることから、密集地域やマンション居住者の駐車装置として普及してきた。
【０００３】
その多段式機械駐車装置には車両を載置するためのパレットを付設してあり、そのパレットには吊りチェーンとバランスチェーンの計４本のチェーンが接続されており、このチェーンを巻き取ったり巻き解きすることにより、パレットに載った車両を昇降したり横行させて車両の入庫、出庫が行われている。
【０００４】
このパレットを昇降させるチェーンに発錆や腐蝕を生じると故障の原因になるばかりでなく、該チェーンを巻き上げるためのスプロケットとの摩擦音やそこから発生する騒音の防止や緩和のために、潤滑油を供給してトラブルをなくしスムーズに駆動するように定期的に作業者がはけ塗りや油差し等の手作業による給油を行っている。
【０００５】
手作業による給油作業は、油の入った容器あるいは油差しを作業者が手に持って、移動しながらチェーンに塗布しているが、長い時間がかかると共に３，４段式の機械式駐車装置では、高所での作業になり足場なども悪く、特に夜間や風の強い日などは危険な作業となり、安全性において問題があった。また、手作業であるから手の届かない部分のチェーンには塗布できなかったり、塗布ムラが生じたりするなど効率的な作業ができないという問題点があった。
【０００６】
このような問題を解決するものとして、チェーンなどに自動的に潤滑油を塗布するものとして、例えば、油定量調節弁と、空気流量調節弁とを備え、潤滑個所を光検出して、電磁弁を開閉させ、所要量の油を圧縮空気と共に同行させて噴射させるように構成したものが提案されている（例えば、特許文献１参照）。
【先行技術文献】
【特許文献】
【０００７】
【特許文献１】特開平７−１９８０２８号公報
【考案の概要】
【考案が解決しようとする課題】
【０００８】
しかしながら、上記特許文献１の潤滑装置を、機械式駐車装置に使用されているローラーチェーンに用いると、チェーン１コマ１コマに間欠的に潤滑油を注油しようとすると、チェーンの走行速度が速いので、電磁弁の開閉が過大、寿命に問題がでることになる。また、潤滑油を空気と共に同行させて噴射しているので、潤滑油が周囲に飛び散り易く、車両を汚すことになる。さらに、注油箇所を光センサーで検出し、電磁弁をコントロールしているので回路が複雑でコスト高になるといった問題点がある。
【０００９】
本考案は、上記のような問題点を解決することを課題として開発されたもので、構造が極めて簡単で故障などが起こり難くい、かつ、チェーンに塗油ローラーを当接させて潤滑油を確実に塗布できる機械式駐車装置における給油装置を提供することを目的とするものである。
【課題を解決するための手段】
【００１０】
上記の課題を解決し、その目的を達成する手段として、本考案は、機械式駐車装置におけるパレットを昇降させるチェーンに潤滑油を塗布する給油装置であって、潤滑油を貯留するタンク本体の下部に電磁弁とコックを設けると共に、給油口の下方に配設して給油口から滴下する潤滑油を含浸する塗油ローラーを、パレットの一側にあるチェーンに当接するように構成したことを特徴とする機械式駐車装置における給油装置を開発し、採用した。
【００１１】
また、本考案は、機械式駐車装置におけるパレットを昇降させるチェーンに潤滑油を塗布する給油装置であって、潤滑油を貯留するタンク本体の下部に電磁弁を設け、左右の配管端部にコックを設けると共に、給油口の下方に配設して給油口から滴下する潤滑油を含浸する塗油ローラーを、パレットの両側にあるチェーンに当接するように構成したことを特徴とする機械式駐車装置における給油装置を開発し、採用した。
【００１２】
また、本考案では上記のように構成した機械式駐車装置における給油装置において、前記塗油ローラーは、取付け具に装着されており、その取付け具は上下移動自在で、塗油ローラーが常時チェーン側に押圧され面接触するように構成されていることを特徴とする機械式駐車装置における給油装置、および前記塗油ローラーは、綿毛であり先部を起毛してあることを特徴とする機械式駐車装置における給油装置を開発し、採用した。
【考案の効果】
【００１３】
本考案の機械式駐車装置における給油装置によれば、構造が極めて簡単であり故障しにくいことによりランニングコストが低下し安価に提供できる。パレット昇降時に電源が入り電磁弁の開閉により潤滑油の流出、停止が確実になり給油作業が効率的になる。塗油ローラーがチェーンに当接しているから、潤滑油を確実に塗布することができる。また、請求項１によれば、パレットの一側部のチェーンに塗布できると共に、請求項２によれば、パレットの両側部のチェーンに同時に塗布できる便利さがある。さらに、前記塗油ローラーは、取付け具に装着されており、その取付け具は上下移動自在で塗油ローラーが、常時チェーン側に押圧されて面接触しているから、振動などでチェーンが揺れ動いたとしても、チェーンと同じように追随して面接触し潤滑油を確実に塗布することができる。また、塗油ローラーは、綿毛であり先部を起毛してあるから、含油性に富み、馴染性に優れていることから、ローラーチェーンの各要素部に潤滑油を流し込み潤滑が確実になる。
【図面の簡単な説明】
【００１４】
【図１】本考案の第１実施の形態を示す正面図である。
【図２】図１の要部の側面図である。
【図３】第１実施形態の取り付け位置を示す説明図である。
【図４】本考案の第２実施の形態を示す正面図である。
【図５】第２実施形態の取り付け位置を示す説明図である。
【考案を実施するための形態】
【００１５】
以下に、本考案の第１実施の形態を添付図面に基づいて説明すれば、１は金属製の有底円筒形のタンク本体で潤滑油を貯留してあり、上端開口部から潤滑油が零れたり、雨水や異物が混入しないように蓋体２を被せてある。３はタンク本体１の下部に設けた電磁弁であり、チェーン駆動用のモーター電源（図示せず）のＯＮ・ＯＦＦで電磁弁３が開閉しタンク本体１から潤滑油が流出・停止するようになっている。
【００１６】
４は電磁弁３の下方に設けたコックで、季節によって潤滑油の粘度が変化し、流出速度が変わることから、開口面積を調整して油量を調節できるようになっているが、季節ごとに一度調整しておけば常時調整する必要がない。５は横架部材であり、その中心部の内部に縦油路６、左右横油路６ａ，６a、左右縦油路６ｂ，６ｂが形成されており、左右縦油路６ｂ，６ｂの先部に給油口７，７を取り付けてある。８は横架部材５の両側部に設けた平面から底面を貫通する貫通孔である。
【００１７】
９はコ字状に形成した取付け具であり、両側の縦杆９ａ，９ａと横杆９ｂとからなり、横杆９ｂに塗油ローラー１０が回動自在に装着されている。この塗油ローラー１０は、二つの給油口７，７から滴下する潤滑油を含浸する綿毛などの円筒体であり、綿毛の先部を起毛させて含浸しやすいようになっており、ローラーチェーン１１の幅よりも広く形成されていて、ローラーチェーン１１が揺れたとしても、充分塗布できる寸法になっている。この塗油ローラー１０は、前述のように取付け具９に装着されており、縦杆９ａ，９ａを横架部材５の両側部に設けた貫通孔８，８に挿通してあるだけであるから、常に下方に配置されたローラーチェーン１１と接触している。
【００１８】
このように構成した本考案の第１実施形態における使用例を作用、効果と共に説明すると、図３に示すように、機械式駐車装置の後方部の一角部フレーム（図示せず）に設置し、塗油ローラー１０がローラーチェーン１１，１１に接触するように設定配置する。そして、チェーン駆動用のモーター電源（図示せず）のＯＮによって、電磁弁３が開きタンク本体１から油が流れるが、予めコック４で油量が調整されており二つの給油口７，７から適量の潤滑油が滴下し、その下部に配置された塗油ローラー１０に均一に素早く含浸すると共に、ローラーチェーン１１，１１に面接触しているからローラーチェーン１１，１１に潤滑油を塗布することができる。
【００１９】
塗油ローラー１０は取付け金具９により上下動自在になっているから、ローラーチェーン１１，１１に常時接触し、駆動時による振動などによって上下動が生じたとしても充分に塗布できるものである。また、塗油ローラーは含油性に富む繊維の綿毛であるから、ローラーとブッシュの間、ブッシュとピンの間、ローラリンクプレートとピンリンクプレートの間などに浸透していくことになり円滑な駆動になる。
【００２０】
図４，５に示すのは本考案の第２実施の形態を示すものであり、前記第１実施の形態では、パレットを昇降させる片側のローラーチェーン１１に給油する方式であったが、この実施の形態ではパレットを昇降させる両側のローラーチェーン１１，１１に同時に給油する点だけ相違してあり、その他の部材の形状構造は全く同一であることから、同一符号を付して説明は省略する。
【００２１】
すなわち、タンク本体１の下部に設けた電磁弁３に管継ぎ手１５を介して左右導管１６，１６を連結すると共に、その導管１６，１６の端部にコック４，４を設け、その下方に横架部材５，５を配し、取付け具９，９に装着された塗油ローラー１０，１０がローラーチェーン１１，１１に接触しているのは前記実施の形態1と同様である。
【００２２】
このように構成された第２実施の形態では、パレットＰの両側部にあるローラーチェーン１１，１１に塗布することができて非常に便利になるだけでなく、コスト面においても安価に達成できるものである。
【００２３】
以上、本考案では、多段方式の機械式駐車装置における自動給油装置の例で説明したが、必ずしもこれらに限定されることはなく、例えば、２段方式の機械式駐車装置やワイヤーの場合でもよく、考案の目的を達成でき、かつ考案の要旨を逸脱しない範囲内において種々の設計変更が可能であることは言うまでもない。
【産業上の利用可能性】
【００２４】
本考案は、多段方式や２段方式の機械式駐車装置におけるパレットを昇降させるチェーンに塗布する給油装置として有効に利用できるものでる。
【符号の説明】
【００２５】
１    タンク本体      
３    電磁弁
４    コック  
７    給油口
１０  塗油ローラー
１１  チェーン
【図１】
0003150560.tif 000003
【図２】
0003150560.tif 000004
【図３】
0003150560.tif 000005
【図４】
0003150560.tif 000006
【図５】
0003150560.tif 000007